(57)【要約】  訪問者が訪問した建物をより正確に判定することができる訪問先判定装置を得る。この訪問先判定装置は、携帯端末装置１と、地図情報を記憶する地図情報記憶装置２１と、距離算出用単位時間毎に建物の建物境界座標と携帯端末装置１の位置情報との間の距離を算出する距離算出装置２２と、算出された距離の中で第１基準値Ｄ以下となる距離の数を滞在度として算出する建物境界内滞在度算出装置２３と、滞在度を用いて、訪問者が訪問した建物を判定する訪問先判定装置２４とを備えている。
2019167252.tif 000002
【特許請求の範囲】
【請求項１】
訪問者に所持され、自己の位置情報を取得する携帯端末装置と、
複数の建物のそれぞれの建物境界座標を含む地図情報を記憶する地図情報記憶装置と、
複数の前記建物のそれぞれについて、予め設定された距離算出用単位時間毎に前記建物の前記建物境界座標と前記携帯端末装置の前記位置情報との間の距離を算出する距離算出装置と、
複数の前記建物のそれぞれについて、前記距離算出用単位時間よりも大きく予め設定された滞在度算出用単位時間における、前記距離算出用単位時間毎に算出された前記距離の中で予め設定された第１基準値以下となる前記距離の数を滞在度として算出する建物境界内滞在度算出装置と、
それぞれの前記建物についての前記滞在度を用いて、複数の前記建物の中から前記訪問者が訪問した前記建物を判定する訪問先判定装置と
を備えた訪問先判定装置。
【請求項２】
訪問される可能性がある全ての前記建物の情報を含む全訪問先情報を記憶する訪問先情報記憶装置をさらに備え、
前記訪問先判定装置は、前記滞在度および前記全訪問先情報を用いて、前記訪問者が訪問した前記建物を判定する請求項１に記載の訪問先判定装置。
【請求項３】
前記訪問先判定装置は、前記滞在度が予め設定された第２基準値以下である場合に、前記滞在度に対応する前記建物を複数の前記建物の中から除外して、前記訪問者が訪問した前記建物を判定する請求項１または請求項２に記載の訪問先判定装置。
【請求項４】
前記携帯端末装置が前記建物の中にあるか否かについて判定する建物内外判定装置をさらに備え、
前記建物境界内滞在度算出装置は、前記携帯端末装置が前記建物の中にあると前記建物内外判定装置が判定した場合に前記距離算出装置が算出した前記距離を用いて、前記滞在度を算出する請求項１から請求項３までの何れか一項に記載の訪問先判定装置。
【請求項５】
複数の建物のそれぞれについて、予め設定された距離算出用単位時間毎に前記建物の建物境界座標と訪問者に所持された携帯端末装置の位置情報との間の距離を算出する距離算出工程と、
複数の前記建物のそれぞれについて、前記距離算出用単位時間よりも大きく予め設定された滞在度算出用単位時間における、前記距離算出用単位時間毎に算出された前記距離の中で予め設定された第１基準値以下となる前記距離の数を滞在度として算出する建物境界内滞在度算出工程と、
それぞれの前記建物についての前記滞在度を用いて、複数の前記建物の中から前記訪問者が訪問した前記建物を判定する訪問先判定工程と
を備えた訪問先判定方法。
【発明の詳細な説明】
【技術分野】
【０００１】
この発明は、訪問者が訪問した建物を判定する訪問先判定システムおよび訪問先判定方法に関する。
【背景技術】
【０００２】
従来、訪問者に所持され、自己の位置情報を取得する携帯端末装置と、携帯端末装置によって取得された位置情報を用いて、訪問者が訪問した建物を判定する訪問先判定装置とを備えた訪問先判定システムが知られている（例えば、特許文献１参照）。
【先行技術文献】
【特許文献】
【０００３】
【特許文献１】特開２００８−５２２８号公報
【発明の概要】
【発明が解決しようとする課題】
【０００４】
しかしながら、訪問者が建物の中にいる場合に、携帯端末装置が自己の位置情報を正確に取得することができない。この場合、訪問者が訪問した建物を訪問先判定装置が誤って判定してしまうおそれがあるという問題点があった。【０００５】
この発明は、上述のような課題を解決するためになされたものであり、その目的は、訪問者が訪問する建物をより正確に判定することができる訪問先判定システムおよび訪問先判定方法を提供するものである。
【課題を解決するための手段】
【０００６】
この発明に係る訪問先判定システムは、訪問者に所持され、自己の位置情報を取得する携帯端末装置と、複数の建物のそれぞれの建物境界座標を含む地図情報を記憶する地図情報記憶装置と、複数の建物のそれぞれについて、予め設定された距離算出用単位時間毎に建物の建物境界座標と携帯端末装置の位置情報との間の距離を算出する距離算出装置と、複数の建物のそれぞれについて、距離算出用単位時間よりも大きく予め設定された滞在度算出用単位時間における、距離算出用単位時間毎に算出された距離の中で予め設定された第１基準値以下となる距離の数を滞在度として算出する建物境界内滞在度算出装置と、それぞれの建物についての滞在度を用いて、複数の建物の中から訪問者が訪問した建物を判定する訪問先判定装置とを備えている。
【発明の効果】
【０００７】
この発明に係る訪問先判定システムによれば、複数の建物のそれぞれについて、距離算出用単位時間毎に建物の建物境界座標と携帯端末装置の位置情報との間の距離が算出され、滞在度算出用単位時間における、算出された距離の中で第１基準値以下となる距離の数が滞在度として算出される。これにより、訪問者が建物の中にいることによって携帯端末装置が自己の位置情報を正確に取得することができない場合であっても、訪問先判定装置は、訪問者が訪問した建物を判定することができる。その結果、訪問先判定システムは、訪問者が訪問する建物をより正確に判定することができる。
【図面の簡単な説明】
【０００８】
【図１】この発明の実施の形態１に係る訪問先判定システムを示す構成図である。
【図２】図１の地図情報記憶装置に記憶された地図情報に携帯端末装置の位置情報が重ねられた状態を示す図である。
【図３】図１の距離算出装置によって算出された距離を示すグラフである。
【図４】図１の訪問先判定システムが判定した訪問者の訪問した建物を示す図である。
【図５】図１の訪問先判定システムの動作を示すフローチャートである。
【発明を実施するための形態】
【０００９】
実施の形態１．
図１は、この発明の実施の形態１に係る訪問先判定システムを示す構成図である。訪問先判定システムは、訪問者に所持される携帯端末装置１と、携帯端末装置１との間で通信を行う情報センタ２とを備えている。図１では、１個の携帯端末装置１を示しているが、訪問先判定システムは、複数の携帯端末装置１を備えてもよい。
【００１０】
携帯端末装置１は、訪問者に所持される。携帯端末装置１としては、スマートフォン、タブレット端末などが挙げられる。携帯端末装置１は、ＧＰＳ（Ｇｌｏｂａｌ  Ｐｏｓｉｔｉｏｎｉｎｇ  Ｓｙｓｔｅｍ）衛星から送信される信号を受信するＧＰＳ測位装置１１を備えている。ＧＰＳ測位装置１１は、ＧＰＳ衛星から受信された信号を用いて、自己の位置情報を取得する。ＧＰＳ測位装置１１に取得される自己の位置情報には、緯度の情報および経度の情報が含まれる。
【００１１】
情報センタ２は、地図情報記憶装置２１と、携帯端末装置１から位置情報を取得する距離算出装置２２と、訪問者が建物を訪問した可能性を示す滞在度を算出する建物境界内滞在度算出装置２３とを備えている。また、情報センタ２は、訪問者が訪問した建物を判定する訪問先判定装置２４と、訪問される可能性がある全ての建物の情報を含む全訪問先情報を記憶する訪問先情報記憶装置２５と、訪問者によって訪問された建物を表示する表示装置２６を備えている。地図情報記憶装置２１、距離算出装置２２、建物境界内滞在度算出装置２３、訪問先判定装置２４、訪問先情報記憶装置２５および表示装置２６は、例えば、パーソナルコンピュータから構成される。
【００１２】
地図情報記憶装置２１には、地図情報が記憶される。地図情報記憶装置２１に記憶される地図情報には、複数の建物のそれぞれの住所と、複数の建物のそれぞれの建物境界座標とが含まれる。
【００１３】
距離算出装置２２は、建物の建物境界座標と携帯端末装置１の位置情報との間の距離を算出する。距離算出装置２２による建物の建物境界座標と携帯端末装置１の位置情報との間の距離の算出は、予め設定された距離算出用単位時間毎に行われる。この例では、距離算出用単位時間は、５分に設定されている。距離算出用単位時間は、変更可能となっている。また、距離算出装置２２による建物の建物境界座標と携帯端末装置１の位置情報との間の距離の算出は、複数の建物のそれぞれについて行われる。
【００１４】
図２は、図１の地図情報記憶装置２１に記憶された地図情報に携帯端末装置１の位置情報が重ねられた状態を示す図、図３は、図１の距離算出装置２２によって算出された距離を示すグラフである。図３では、図２の建物の建物境界座標と携帯端末装置１の位置情報との間の距離を示している。建物境界内滞在度算出装置２３は、距離算出装置２２によって算出された距離の中で予め設定された第１基準値Ｄ以下となる距離の数を滞在度として算出する。この例では、第１基準値Ｄは、５（ｍ）に設定されている。第１基準値Ｄは、変更可能となっている。
【００１５】
建物境界内滞在度算出装置２３による滞在度の算出は、予め設定された滞在度算出用単位時間の間における、第１基準値Ｄ以下となる距離の数を滞在度として行われる。滞在度算出用単位時間は、距離算出用単位時間よりも大きい。この例では、滞在度算出用単位時間は、３０分に設定されている。滞在度算出用単位時間は、変更可能となっている。また、建物境界内滞在度算出装置２３による滞在度の算出は、複数の建物のそれぞれについて行われる。建物境界内滞在度算出装置２３による滞在度の算出は、距離算出用単位時間毎に行われる。なお、建物境界内滞在度算出装置２３による滞在度の算出は、距離算出用単位時間毎に限らず、その他の時間毎に行われてもよい。
【００１６】
訪問先判定装置２４は、それぞれの建物についての滞在度を用いて、複数の建物の中から訪問者が訪問した建物を判定する。具体的には、訪問先判定装置２４は、それぞれの建物の中で滞在度が最も大きい建物を、訪問者が訪問した建物として判定する。
【００１７】
訪問先情報記憶装置２５には、全訪問先情報が記憶される。全訪問先情報には、訪問される可能性がある全ての建物の情報、当日の訪問予定の建物の情報などが含まれる。訪問される可能性がある全ての建物としては、例えば、保守の契約が結ばれている建物が挙げられる。当日の訪問予定の建物の情報には、訪問者を特定する情報、訪問予定時刻の情報および滞在予定時間の情報が含まれる。
【００１８】
訪問先判定装置２４は、滞在度および全訪問先情報を用いて、訪問者が訪問した建物を判定する。訪問先判定装置２４は、複数の建物のそれぞれの滞在度が同一の場合に、当日の訪問予定の建物の情報を用いて、訪問者が訪問した建物を判定する。また、訪問先判定装置２４は、滞在度が予め設定された第２基準値以下である場合に、滞在度に対応する建物を複数の建物の中から除外して、訪問者が訪問した建物を判定する。この例では、第２基準値は、４に設定されている。
【００１９】
図４は、図１の訪問先判定システムが判定した訪問者の訪問した建物を示す図である。表示装置２６には、複数の訪問者のそれぞれについて、訪問された建物が示される。図４では、訪問者Ａおよび訪問者Ｂのそれぞれについて、訪問された建物が示されている。
【００２０】
次に、訪問先判定システムによる訪問者が訪問した建物の判定の方法ついて説明する。図５は、図１の訪問先判定システムの動作を示すフローチャートである。まず、ステップＳ１０１において、位置情報取得工程が行われる。位置情報取得工程では、携帯端末装置１がＧＰＳ衛星から受信された信号を用いて、自己の位置情報を取得する。位置情報取得工程は、距離算出用単位時間毎に行われる。
【００２１】
その後、ステップＳ１０２において、距離算出工程が行われる。距離算出工程では、距離算出装置２２が、複数の建物のそれぞれについて、建物の建物境界座標と携帯端末装置１の位置情報との間の距離を算出する。距離算出工程は、距離算出用単位時間毎に行われる。
【００２２】
その後、ステップＳ１０３において、建物境界内滞在度算出工程が行われる。建物境界内滞在度算出工程では、建物境界内滞在度算出装置２３が、複数の建物のそれぞれについて、滞在度算出用単位時間における、距離算出用単位時間毎に算出された距離の中で第１基準値Ｄ以下となる距離の数を滞在度として算出する。建物境界内滞在度算出工程は、距離算出用単位時間毎に行われる。
【００２３】
その後、ステップＳ１０４において、訪問先判定工程が行われる。訪問先判定工程では、訪問先判定装置２４が、算出された滞在度、第２基準値および全訪問先情報を用いて、訪問者が訪問した建物を判定する。以上により、訪問先判定システムによる訪問者が訪問した建物の判定が終了する。
【００２４】
以上説明したように、この発明の実施の形態１に係る訪問先判定システムによれば、複数の建物のそれぞれについて、距離算出用単位時間毎に建物の建物境界座標と携帯端末装置１の位置情報との間の距離が算出され、滞在度算出用単位時間における、算出された距離の中で第１基準値Ｄ以下となる距離の数が滞在度として算出される。これにより、訪問者が建物の中にいることによって携帯端末装置１が自己の位置情報を正確に取得することができない場合であっても、訪問先判定装置２４は、訪問者が訪問した建物を判定することができる。その結果、訪問先判定システムは、訪問者が訪問した建物をより正確に判定することができる。
【００２５】
また、訪問先判定装置２４は、訪問される可能性がある全ての建物の情報および算出された滞在度を用いて、訪問者が訪問した建物を判定する。これにより、訪問される可能性の無い建物が、訪問者が訪問した建物として誤判定されることを抑制することができる。
【００２６】
また、訪問先判定装置２４は、算出された滞在度が第２基準値以下である場合に、滞在度に対応する建物を複数の建物の中から除外して、訪問者が訪問した建物を判定する。これにより、訪問先判定装置２４の判定を容易にすることができる。
【００２７】
また、この発明の実施の形態１に係る訪問先判定方法によれば、複数の建物のそれぞれについて、距離算出用単位時間毎に建物の建物境界座標と携帯端末装置１の位置情報との間の距離が算出され、滞在度算出用単位時間における、算出された距離の中で第１基準値Ｄ以下となる距離の数が滞在度として算出される。これにより、訪問者が建物の中にいることによって携帯端末装置１が自己の位置情報を正確に取得することができない場合であっても、訪問先判定装置２４は、訪問者が訪問した建物を判定することができる。その結果、訪問先判定システムは、訪問者が訪問した建物をより正確に判定することができる。
【００２８】
なお、上記実施の形態１では、建物境界内滞在度算出装置２３が、距離算出装置２２によって算出された距離を用いて滞在度を算出する構成について説明した。これに対して、訪問先判定システムは、携帯端末装置１が建物の中にあるか否かについて判定する建物内外判定装置をさらに備えた構成であってもよい。この場合、建物境界内滞在度算出装置２３は、携帯端末装置１が建物の中にあると建物内外判定装置が判定した場合に距離算出装置２２が算出した距離を用いて、滞在度を算出する。建物内外判定装置としては、例えば、携帯端末装置１がＧＰＳ衛星からの信号および基地局からの信号を受信可能となっており、ＧＰＳ衛星からの信号のみを用いて携帯端末装置１が位置情報を取得可能である場合に、建物外にいると判定され、それ以外の場合に建物内にいると判定される構成が挙げられる。また、建物内外判定装置としては、例えば、携帯端末装置１の位置情報が道路上にあり道路に沿って移動している場合に、建物外にいると判定され、また、携帯端末装置１の位置情報が高速で移動している場合に、建物外にいると判定される構成が挙げられる。
【符号の説明】
【００２９】
１  携帯端末装置、２  情報センタ、１１  ＧＰＳ測位装置、２１  地図情報記憶装置、２２  距離算出装置、２３  建物境界内滞在度算出装置、２４  訪問先判定装置、２５  訪問先情報記憶装置、２６  表示装置。
【図１】
2019167252.tif 000003
【図２】
2019167252.tif 000004
【図３】
2019167252.tif 000005
【図４】
2019167252.tif 000006
【図５】
2019167252.tif 000007
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
訪問者に所持され、自己の位置情報を取得する携帯端末装置と、
複数の建物のそれぞれの建物境界座標を含む地図情報を記憶する地図情報記憶装置と、
複数の前記建物のそれぞれについて、予め設定された距離算出用単位時間毎に前記建物の前記建物境界座標と前記携帯端末装置の前記位置情報との間の距離を算出する距離算出装置と、
複数の前記建物のそれぞれについて、前記距離算出用単位時間よりも大きく予め設定された滞在度算出用単位時間における、前記距離算出用単位時間毎に算出された前記距離の中で予め設定された第１基準値以下となる前記距離の数を滞在度として算出する建物境界内滞在度算出装置と、
それぞれの前記建物についての前記滞在度を用いて、複数の前記建物の中から前記訪問者が訪問した前記建物を判定する訪問先判定装置と
を備えた訪問先判定システム。
【請求項２】
訪問される可能性がある全ての前記建物の情報を含む全訪問先情報を記憶する訪問先情報記憶装置をさらに備え、
前記訪問先判定装置は、前記滞在度および前記全訪問先情報を用いて、前記訪問者が訪問した前記建物を判定する請求項１に記載の訪問先判定システム。
【請求項３】
前記訪問先判定装置は、前記滞在度が予め設定された第２基準値以下である場合に、前記滞在度に対応する前記建物を複数の前記建物の中から除外して、前記訪問者が訪問した前記建物を判定する請求項１または請求項２に記載の訪問先判定システム。
【請求項４】
前記携帯端末装置が前記建物の中にあるか否かについて判定する建物内外判定装置をさらに備え、
前記建物境界内滞在度算出装置は、前記携帯端末装置が前記建物の中にあると前記建物内外判定装置が判定した場合に前記距離算出装置が算出した前記距離を用いて、前記滞在度を算出する請求項１から請求項３までの何れか一項に記載の訪問先判定システム。
【請求項５】
複数の建物のそれぞれについて、予め設定された距離算出用単位時間毎に前記建物の建物境界座標と訪問者に所持された携帯端末装置の位置情報との間の距離を算出する距離算出工程と、
複数の前記建物のそれぞれについて、前記距離算出用単位時間よりも大きく予め設定された滞在度算出用単位時間における、前記距離算出用単位時間毎に算出された前記距離の中で予め設定された第１基準値以下となる前記距離の数を滞在度として算出する建物境界内滞在度算出工程と、
それぞれの前記建物についての前記滞在度を用いて、複数の前記建物の中から前記訪問者が訪問した前記建物を判定する訪問先判定工程と
を備えた訪問先判定方法。
【国際調査報告】
2019167252.tif 000008
2019167252.tif 000009
2019167252.tif 000010
2019167252.tif 000011